Podtech/llm-jp-corpus-v4-ja_patent huggingface dataset:
(57)【要約】【課題】ドアークローザーにドアーを少し開けておく機能をプラス出来ないか。【解決手段】ドアークローザーのアームリンク２本にピン付き可動アームをプラスしてドアーストッパーの役割をする様にした。【選択図】図１
2015068160.tif 000002
【特許請求の範囲】
【請求項１】
ドアークローザーにドアーを開けておくことが出来る機能を持たせた物である。
【請求項２】
前記ドアークローザーにピン付き可動アームをプラスしアームリンクに開けた穴、欠き部によってドアーをある角度に開けたまま、又は開けたままドアーを固定出来る特徴をもった請求項１に記載の発明である。
【発明の詳細な説明】
【技術分野】
【０００１】ドアークロザーはドアーを閉めるための物であり風通しのためのドアーを少し開けておく事が出来ない。
【背景技術】
【０００２】ドアークローザーを付けたドアーを少し開けておく時は市販のドアーストッパーを購入し取り付けるか、ブロック等でドアーを少し開けておくしかなかった。ドアークローザーにその機能をプラスすれば合理的である
【発明の開示】
【発明が解決しようとする課題】
【０００３】市販のドアーストッパーは入り口方向からの風には強いが反対側、つまり部屋側からの強い風、突風にはストッパーの役が果たせずドアーが急に開いて通行人には危険である。
【課題を解決するための手段】
【０００４】ドアークローザーに図１に示す様にアームリンク２にピン付き可動アームを付け、そのピン付き可動アームによりアームリンク１に設けた数個の欠き部か穴にピン付き可動アームのピンを入れる事によりドアーを少し開けておいたり開けたままドアーを固定する事が出来る。
【発明の効果】
【０００５】ドアークローザーにピン付き可動アームを付けた事により、ドアーを少し開けた状態のままドアーストッパーとしての役割とドアーを明けたまま固定する事も出来る。そのため強風、突風時にもドアーがそれ以上開かず安心である。そのため人が入れない角度にドアーを開けておいてもドアーが開いたまま固定出来るので防犯上も良い。
【発明を実施するための最良の形態】
【０００６】図１、図２に示す様にアームリンク２にピン付き可動アームを水平方向に動く様に付け、アームリンク１に開けた数箇所の穴や欠き部を設ける。ピン付き可動アームのピン部を任意の角度になる様に穴に差し込んだり、欠き部に当てられる様にする。又ピン付き可動アームがアームリンク２に戻る様バネを付ける。１８０度、９０度にドアーを開ける場合は図３に示す様にブラケットに欠きや穴を設ける。１８０度、９０度用のピン部は図１、図３に示す様にアームリンク２の任意の位置に設ける。
【実施形態の効果】
【０００７】ドアークローザープラスは市販のドアーストッパーがいらない。欠き部と穴の数により１８０度、９０度、４５度、３０度、１５度、１０度、５度等、欠き部に当てればストッパーの役割と、穴にピン部を差し込めばドアーを開けたまま固定出来る。
【図面の簡単な説明】
【０００８】
【図１】  この発明の実施形態を示す正面図である。
【図２】  この発明の実施形態を示す側面図である。
【図３】  この発明の実施形態を示すドアー角度９０度の正面図である。
【符号の説明】
【０００９】１  シリンダー    ２  アームリンク１    ３  アームリンク２
４  ピン付き可動アーム    ５  ピン部    ６  ストッパー欠き    ７  ストッパー穴
８  ブラケット    ９  ドアー    １０  ドアー枠    １１  壁
１２  １８０度、９０度用可動ピン    １３  ９０度用穴
１４  １８０度用穴    １５  操作ツマミ
【図１】
2015068160.tif 000003
【図２】
2015068160.tif 000004
【図３】
2015068160.tif 000005
(57)【要約】【解決手段】トンネル１の切羽２に爆薬３ａを埋設した複数の発破孔３を形成した後、発泡剤を液体で希釈した泡溶液を切羽２の端面２ａに各発破孔３を覆うように吹き付けて消音層４を設ける。【効果】切羽２の端面２ａに泡溶液を吹き付けて設けた消音層４により、切羽２の爆破時に消音機能を高めることができる。また、泡溶液の吹き付けにより消音層４を容易に設けることができる。【選択図】図１
2015068042.tif 000002
【特許請求の範囲】
【請求項１】
爆破域と爆破域外とを泡溶液からなる消音層により区画した状態で、この爆破域を爆破することを特徴とする爆破消音方法。
【請求項２】
爆破域で爆破面に爆薬を埋設した複数の発破孔を設けた後、この各発破孔を覆うように爆破面に泡溶液からなる消音層を設けた状態で、この爆破域を爆破することを特徴とする爆破消音方法。
【請求項３】
前記爆破面に泡溶液を吹き付けて消音層を設けることを特徴とする請求項２に記載の爆破消音方法。
【請求項４】
爆破域で爆破面に設けられて爆薬が埋設された複数の発破孔と、この各発破孔を覆うように爆破面に設けた泡溶液からなる消音層とを備えたことを特徴とする爆破消音構造。
【請求項５】
前記泡溶液は発泡剤を液体で希釈したものであることを特徴とする請求項４に記載の爆破消音構造。
【請求項６】
前記爆破域はトンネルの切羽であって、前記爆破面はこの切羽の端面であることを特徴とする請求項４または請求項５に記載の爆破消音構造。
【発明の詳細な説明】
【技術分野】
【０００１】
本発明は、例えばトンネルの切羽を爆破して掘削する際に発生する爆破音を抑制する爆破消音方法及び爆破消音構造に関するものである。
【背景技術】
【０００２】
例えば下記の特許文献１に示すようにトンネルの切羽を爆破して掘削する際には爆破音が発生するため、通常、例えば下記の特許文献２に示すように切羽から離れたトンネル内に各種の防音設備が設置されている。
【先行技術文献】
【特許文献】
【０００３】
【特許文献１】特開平６−１２９８００号公報
【特許文献２】特開２００４−３５３４３８号公報
【発明の概要】
【発明が解決しようとする課題】
【０００４】
この発明は、切羽などの爆破域の爆破方法及び爆破構造を改良して消音機能を高めることを目的としている。
【課題を解決するための手段】
【０００５】
後記実施形態の図面（図１〜２）の符号を援用して本発明を説明する。
請求項１の発明にかかる爆破消音方法においては、爆破域（２）と爆破域（２）外とを泡溶液からなる消音層（４）により区画した状態で、この爆破域（２）を爆破する。
【０００６】
請求項１の発明では、爆破域（２）の爆破時に泡溶液からなる消音層（４）により消音機能を高めることができる。
請求項２の発明にかかる爆破消音方法においては、爆破域（２）で爆破面（２ａ）に爆薬（３ａ）を埋設した複数の発破孔（３）を設けた後、この各発破孔（３）を覆うように爆破面（２ａ）に泡溶液からなる消音層（４）を設けた状態で、この爆破域（２）を爆破する。
【０００７】
請求項２の発明では、爆破面（２ａ）に爆薬（３ａ）を埋設した複数の発破孔（３）を設けた爆破域（２）の爆破時に泡溶液からなる消音層（４）により消音機能を高めることができる。
【０００８】
請求項２の発明を前提とする請求項３の発明において、前記爆破面（２ａ）に泡溶液を吹き付けて消音層（４）を設ける。請求項３の発明では、泡溶液の吹き付けにより消音層（４）を容易に設けることができる。
【０００９】
請求項４の発明にかかる爆破消音構造においては、爆破域（２）で爆破面（２ａ）に設けられて爆薬（３ａ）が埋設された複数の発破孔（３）と、この各発破孔（３）を覆うように爆破面（２ａ）に設けた泡溶液からなる消音層（４）とを備えた。
【００１０】
請求項４の発明では、爆破面（２ａ）に爆薬（３ａ）を埋設した複数の発破孔（３）を設けた爆破域（２）の爆破時に泡溶液からなる消音層（４）により消音機能を高めることができる。
【００１１】
請求項４の発明を前提とする請求項５の発明において、前記泡溶液は発泡剤を液体で希釈したものである。請求項５の発明では、泡溶液を容易に生成することができる。
請求項４または請求項５の発明を前提とする請求項６の発明において、前記爆破域はトンネル（１）の切羽（２）であって、前記爆破面はこの切羽（２）の端面（２ａ）である。請求項６の発明では、端面（２ａ）に爆薬（３ａ）を埋設した複数の発破孔（３）を設けた切羽（２）の爆破時に泡溶液からなる消音層（４）により消音機能を高めることができる。
【発明の効果】
【００１２】
本発明は、切羽（２）などの爆破域の爆破時に消音機能を高めることができる。
【図面の簡単な説明】
【００１３】
【図１】トンネルの切羽を概略的に示す縦断面図である。
【図２】トンネルの切羽を概略的に示す正面図である。
【発明を実施するための形態】
【００１４】
以下、本発明の一実施形態について図１〜２を参照して説明する。
トンネル１の切羽２（爆破域）には複数の発破孔３が並設されて切羽２の端面２ａ（爆破面）に開放されている。各発破孔３には爆薬３ａが埋設されている。切羽２の端面２ａの全体には各発破孔３を覆うように所定厚さの消音層４が設けられて切羽２と切羽２外とを区画している。
【００１５】
消音層４は、爆薬３ａが埋設された各発破孔３を切羽２の端面２ａに並設した後に泡溶液を吹き付けて設けられている。泡溶液は、例えば発泡剤を液体で希釈したものであって、より具体的には、例えば、合成界面活性剤泡消音剤であるノーミフォームエースを約３％に水で希釈した発泡倍率約５０００倍の水溶液である。
【００１６】
次に、消音作用について説明する。
各発破孔３が爆破されて切羽２の端面２ａが掘削される際に発生する爆破音は、消音層４である泡溶液に衝突して泡により減衰される。そのため、切羽２の端面２ａから坑外側に漏れる爆破音が抑制される。
【００１７】
図示しないが、切羽２の泡溶液から坑外側にスペースをあけてトンネル１内に各種の防音設備を設置した場合には、切羽２の泡溶液から漏れた爆破音がスペースの空気で減衰された後に防音設備でさらに減衰されて抑制される。
【００１８】
本実施形態は下記の効果を有する。
（１）  切羽２の端面２ａに泡溶液を吹き付けて設けた消音層４により、切羽２の爆破時に消音機能を高めることができる。
【００１９】
（２）  泡溶液の吹き付けにより消音層４を容易に設けることができる。
前記実施形態以外にも例えば下記のように構成してもよい。
・  トンネル１の切羽２以外に、ビルや鉱山など、発破による各種爆破域において本発明を応用することができる。
【００２０】
・  消音層４である泡溶液の発泡剤としては、例えば、タンパク泡消音剤を約３％に水で希釈した発泡倍率約５０００倍の水溶液を採用することができる。
【符号の説明】
【００２１】
１…トンネル、２…切羽（爆破域）、２ａ…端面（爆破面）、３…発破孔、３ａ…爆薬、４…消音層。
【図１】
2015068042.tif 000003
【図２】
2015068042.tif 000004
(57)【要約】【課題】下水処理施設の汚泥掻き寄せ機などに用いられる、樹脂製で一体成形されるリンク本体を連ねて構成されるチェンにおいて、リンク本体の窪み部に水が溜まり、その窪み部に溜まった水が汚泥掻き寄せ機が稼働しない期間の間に蒸発し、空気中で窪み部に溜まった水が有していた酸性物質が濃縮され強酸化し、樹脂製であるリンク本体を侵食し破断することを防止すること。【解決手段】リンク本体の窪み部に蓋部材を取り付けることで、リンク本体の窪み部に水が溜まらないようにすることにより、空気中で窪み部に溜まった水が有していた酸性物質が濃縮され強酸化し、樹脂製であるリンク本体を侵食し破断することを防いだ。【選択図】図１
2015068373.tif 000002
【特許請求の範囲】
【請求項１】
樹脂製で一体成形されるリンク本体を連ねて構成されるチェンにおいて、前記リンク本体の窪み部に蓋部材を取り付けたことを特徴とするチェン。
【発明の詳細な説明】
【技術分野】
【０００１】
本発明は、下水処理施設の汚泥掻き寄せ機などに用いられる、樹脂製のチェンに関するものである。
【背景技術】
【０００２】
汚泥掻き寄せ機は、下水処理施設の沈澱池において、チェンのアタッチメントに取り付けられるフライト（汚泥掻き寄せ板）を、チェンを駆動することにより動かし、汚泥を掻き寄せるものである。
【０００３】
チェンは、リンク本体を相当数連結ピンで連結し、つなぎ合わせて組み立てられる。外側に配置されるリンクプレートと内側に配置されるリンクプレートを別部材で構成して組み立てる形式のチェンもあるが、本発明は、樹脂製の同一形状のリンクをつなぎ合わせるタイプのチェンについてのものである。
【０００４】
リンク本体８０は、図３に示すようなものである。リンク本体８０は、その長さ方向一方の端部に、ピン挿入孔８６を有するバレル部８２があり、他方の端部には、ピン挿入孔８８を有する一対のピンリンク部８４がある。バレル部８２の幅は、一対のピンリンク部８４の間の空隙と略同一に構成される。リンク本体８０がこのように構成されることにより、リンク本体８０のバレル部８２を他のリンク本体８０の一対のピンリンク部８４間の空隙に挟み連結ピンで連結することが可能となる。
また、リンク本体８０は、図３（ｂ）に示すように、スプロケットに係合する部位である、ノッチ部９０を有する。
そして、また、リンク本体８０は、アタッチメントを取り付けるアタッチメント取付用孔９２を有し、リンク本体８０の上面（図３（ａ）が表す面）のアタッチメント取付用孔９２のリンク本体８０の幅方向の両側には、樹脂成形の成形上、窪み部９４が設けられている。
【０００５】
以上のような、リンク本体８０を相当数連結することにより、汚泥掻き寄せ機に用いられるチェンは構成されていた。
【発明の概要】
【発明が解決しようとする課題】
【０００６】
汚泥掻き寄せ機は、頻繁に運転する必要がないため、場合によっては数週間稼働させないことがある。
【０００７】
従来のチェンは、リンク本体が水面上に来た時に上向きになる窪み部を有するため、汚泥掻き寄せ機を稼働させてない時は、その窪み部に水が溜まったまま空気中にさらされることとなっていた。
そして、その窪み部に溜まった水が汚泥掻き寄せ機が稼働しない期間の間に蒸発し、窪み部に溜まった水が有していた酸性物質が濃縮され強酸化し、樹脂製であるリンク本体を侵食し破断することが多々あった。
【０００８】
そこで、本発明は、上記の問題点に鑑みて、リンク本体の窪み部に水が溜まることを防止し、酸性物質によるリンク本体の侵食、破断を防止することを課題とするものである。
【課題を解決するための手段】
【０００９】
本発明は上記課題を解決するためになされたものであり、樹脂製で一体成形されるリンク本体を連ねて構成されるチェンにおいて、前記リンク本体の窪み部に蓋部材を取り付けたことを特徴とするものである。
【発明の効果】
【００１０】
このような本発明によれば、樹脂製で一体成形されるリンク本体を連ねて構成されるチェンにおいて、前記リンク本体の窪み部に蓋部材を取り付けることにより、リンク本体の窪み部に水が溜まることを防止し、酸性物質によるリンク本体の侵食、破断を防止することができる。
【図面の簡単な説明】
【００１１】
【図１】本発明の実施の形態に係るチェンのリンク本体の全体図であり、（ａ）が正面図、（ｂ）が側面図である。
【図２】本発明の実施の形態に係るチェンのリンク本体の窪み部に取り付ける蓋部材の全体図であり、（ａ）が正面図、（ｂ）が側面図である。
【図３】従来のチェンのリンク本体の全体図であり、（ａ）が正面図、（ｂ）が側面図である。
【発明を実施するための最良の形態】
【００１２】
以下、本発明を実施するための最良の形態について、図面に基づいて具体的に説明する。チェン本体の形状のうち、従来のチェン本体とほとんど変わらない部分は説明を省略する。
【００１３】
図１は、本発明の実施の形態に係るリンク本体１０の全体図である。
【００１４】
本発明の実施の形態に係るリンク本体１０では、窪み部２４を覆うように蓋部材２６が取り付けられる。
【００１５】
蓋部材２６が取り付けられることによりリンク本体１０の窪み部２４に酸性物質を含んだ水が窪み部２４に入り込まないので、リンク本体１０の窪み部２４に水が溜まることを防止し、酸性物質によるリンク本体１０の侵食、破断を防止することができる。
【００１６】
本実施の形態では、一体の蓋部材を取り付ける例を説明したが、蓋部材を、窪み部ごとにわけて取り付けてもかまわないのは言うまでもない。
【符号の説明】
【００１７】
１０  リンク本体
１２  バレル部
１４  ピンリンク部
１６  ピン挿入孔
１８  ピン挿入孔
２０  ノッチ部
２２  アタッチメント取付用孔
２４  窪み部
２６  蓋部材
８０  リンク本体
８２  バレル部
８４  ピンリンク部
８６  ピン挿入孔
８８  ピン挿入孔
９０  ノッチ部
９２  アタッチメント取付用孔
９４  窪み部
【図１】
2015068373.tif 000003
【図２】
2015068373.tif 000004
【図３】
2015068373.tif 000005
(57)【要約】【課題】  従来の回覧板においては耐水性に劣るため、雨や雪にさらされることにより耐久性に乏しく、それを避けるためにはビニールカバーを別に用意して覆うしかなく、多少の雨にも耐えられる簡易な回覧板が望まれる。【解決手段】  耐水性の紙による三層構造の合紙を基材として、表面をポリプロピレンフィルムにてコーティングしたローコストの対水性回覧板を提供する。【選択図】図３
2015030271.tif 000002
【特許請求の範囲】
【請求項１】
中芯に耐水紙を使用し、また耐水紙でできた表紙と裏紙により三層構造とした積層合紙の表裏に、更に耐水性を強化するためのコーティング膜として１０ミクロン〜２０ミクロンのポリプロピレンフィルムを貼り合わせ、貼り合せ材として耐水糊を使用し、全体として１〜３ｍｍの厚みとすることを特徴とする耐水性回覧板。
【発明の詳細な説明】
【技術分野】
【０００１】  本発明は一般に町内会などにおいて、案内、連絡事項などを記した文書をとじつけて各家庭へ回す回覧板に関するものである。
【背景技術】
【０００２】  従来の回覧板は、板自体が単なる合成紙であり、耐水性はあまりなく、雨や雪の日には水滴が回覧板にあたらないよう回覧板をビニールカバーの中に入れて対応している。各家庭ではビニール袋をはずして中身を確認し、もう一度ビニールカバーをつけ次の家庭に回すといった極めて手間のかかる上に、ビニール袋の配備などで役所として大幅なコストアップを余儀なくされている。【０００３】  こういった雨、雪に対応するためさまざまな工夫が技術開示されている。例えば回覧板の形状の工夫として中が濡れないように折り畳み内側周辺部にゴム、スポンジなどの弾性部材を配置したり（特許文献１参照）、板自体の部材をビニールシートで被覆したり、はたまた地域固有の情報が板に印刷されることが重要な回覧板にもかかわらずプラスチック材料により板部材を形作るなどが示されている。
【先行技術文献】
【特許文献】
【０００４】
【特許文献１】  特開２００８−２７３０２２号公報
【発明の概要】
【発明が解決しようとする課題】
【０００５】  こういった回覧板はシンプルな構造の従来の回覧板と比較し、板自体に別部材を追加したり、表面耐水性確保のために高価なビニールシートを被覆したりして、明らかにコスト高で現実性に欠ける面がある。【０００６】  一般的に回覧板においては、製作に要する予算が少なく、ビニールカバーなどは付けられない場合も多い。市町村の場合、朝から雨が降っている時は各家庭が雨雪に濡れないようにビニール袋等に入れて次の家庭へ回すなどの気を使うが、天候の急変により濡れることもあり、その場合には回覧板の厚みの部分から水滴が侵入し回覧板そのものが破壊されることもある。【０００７】  本発明は、以上のような従来の回覧板のかかえる問題を解決しようとするものであり、基本的に印刷可能な紙を主材料として、雨雪などの水滴に強いシンプルな構造の回覧板を提供することを目的としている。
【課題を解決するための手段】
【０００８】  上記目的を達成するために、本発明は回覧板部材を、耐水紙でできた表紙と裏紙と中芯を使っての三層構造とし、その積層合紙の表裏に、更に耐水性を強化するためのコーティング膜として１０ミクロン〜２０ミクロンのポリプロピレンフィルムを貼り合わせ、貼り合せ材として耐水糊を使用し、全体として１〜３ｍｍの厚みとするようにした回覧板である。
【発明の効果】
【０００９】  以上の説明から明らかなように、本発明にあたっては次に列挙する効果が得られる。先ずは材料を紙ベースにしたことにより、回覧板として重要な地区の基本的な情報を印刷することができる。次に表裏の面にポリプロピレンをコーティングすることにより、直接的な水分をはじくことができ、また中の三層の紙部材に耐水性があるため、表面破壊などで紙部材に水分が侵入した場合でも４時間以内ならほぼ完全に復元でき、１２時間以内で再使用可能な状態に回復する。【００１０】  上述したように、本発明の回覧板は雨や雪に濡れた場合でも水をはじく性質の紙であるため、ティッシュペーパーで軽くふき取ってしまえばほとんど元の状態にもどり再使用が可能であることから、利用者が天候の急変を心配することなく次の家庭へまわすことのできる優れた効果がある。
【図面の簡単な説明】
【００１１】
【図１】本発明の回覧板の全体外観図（折り曲げたところ）
【図２】本発明の回覧板の全体外観図（開いたところ）
【図３】本発明の回覧板の断面図
【発明を実施するための形態】
【００１２】  以下、本発明の実施の形態を図に基づいて説明する。
【実施例】
【００１３】  図１、図２に本発明の全体外観図を示す。図１が折り曲げたところ、図２が開いたところであり、実際の回覧板は図１の折り曲げた状態にして次の家庭へ回す。【００１４】  図３は、回覧板の断面図を示している。中芯１を中心に表紙２、裏紙３が貼り合せてあり、紙の三層構造を形成している。３枚合紙の表裏である表紙２、裏紙３は、耐水仕様のコート紙（Ｌ判、４００ｇ／ｍ２）が用いられ、表裏とも印刷が施されている。
中芯にも耐水仕様のコート紙（Ｌ判、４００ｇ／ｍ２）が用いられ、傷等による表面破壊による水滴の侵入に耐える構造をとっている。  上述の紙ベース三層合紙の貼り合せ用糊は耐水性の糊を使用しており、その合紙の表面には表、裏ともポリプロピレンフィルム４が１５ミクロンの厚みでコーティングされている。【００１５】  本案回覧板との比較するため、従来から使われていた回覧板について図３の本発明断面の構造を使って説明する。構造としては同じであるが、中芯１の紙材がコートボール紙で、厚みが４５０ｇ／ｍ２であり、表紙２、裏紙３は紙材が同じくコートボール紙で、厚みが３５０ｇ／ｍ２である。このコートボール紙は水に非常に弱く、少量の雨や雪にさらされただけでも強度劣化、破損にまで至ってしまう。
【産業上の利用可能性】
【００１６】  以上述べたように、本発明は、シンプルでコスト低減された雨雪に強い回覧板を社会に提供する。そのことは、天候にも左右されず、気を使わず安心して回覧物を回すことができ、地方自治体の費用削減にも呼応し、有益なる地域情報の伝達手段として広く社会に浸透し、貢献するものと期待される。
【符号の説明】
【００１７】１  中芯
２  表紙
３  裏紙
４  ポリプロピレンフィルム
【図１】
2015030271.tif 000003
【図２】
2015030271.tif 000004
【図３】
2015030271.tif 000005
(57)【要約】      （修正有）【課題】ダンボール等の印刷用印版の出し入れに関する取り扱いは、大きく重い印版が多く、かつ印版ラックの差し込み孔が高所である場合は、脚立に登っての出し入れ作業となる等、作業の危険性、労力負担と併せて作業効率面の改善を提供する。【解決手段】印版ラックの差し込み孔に受け口Ｃを設け、或いは高所の差し込み孔は脚立に登らなくても印版の出し入れ作業が出来るように差し込み孔を下部まで延長する工夫を施す等、当該作業の安全性、簡便性、効率性を向上させる。【選択図】図２
2015030270.tif 000002
【特許請求の範囲】
【請求項１】
整版フイルム差し込み孔部を収納筒から水平に印版区分番号見出し面より手前挿入側に数センチメートル引き延ばし筒の上面が無い受け口を設けた事を特徴とする印版ラック。
【請求項２】
整版フイルム差し込み孔部を、収納筒から誘導筒で作業に適合する位置にまで延長を施した事を特徴とする印版ラック。
【発明の詳細な説明】
【技術分野】
【０００１】  本発明は、ダンボール等の印刷用印版の保管に関するものであり、印版の保管に使用されている印版ラックに工夫を施す事により当該作業が安全かつ効率的に運用されるものである。
【背景技術】
【０００２】  従来から、ダンボール等の印刷用印版は重く大きい事から、強靭なフイルムに印版を貼り込みフイルムの両端に硬化樹脂の止め棒を施し、差し込み孔が連なる印版ラックの一つの差し込み孔から収納筒の切り込み溝に沿って整版フイルムを１枚から３枚位の単位で奥まで差し込み、止め棒で落下しない様に吊るした状態で保管している。
（図１参照）
【発明の開示】
【発明が解決しようとする課題】
【０００３】  しかし、印刷技術や製版技術の著しい進歩と比較して印版出し入れの作業は、旧態依然の状態で重く大きな印版を高い所や狭いスペースからの出し入れが常態化しており、脚立からの転落事故や不安定な姿勢での作業が原因の腰痛の発症等、早急に解決しなければならない課題が存在している。
【課題を解決するための手段】
【０００４】  この課題を解決する為、請求項１の発明は、印版ラックの整版フイルム差し込み孔部に印版ラック本体の印版区分見出し面より手前側数センチメートル引き出した受け口を設ける事により、重くて大きな整版フイルムをスムースに収納筒の切り込み溝へ誘導し挿入できる、又印版を一旦受け口に置く事が出来る事から、手の握りや角度が整えられ安全な出し入れ作業が可能となる。（図２参照）【０００５】  請求項２の発明は、高い所の印版の出し入れ作業等、脚立に登らなくても差し込み孔部を扱い易い位置や角度に誘導筒で調整設置する事により、安全で効率的な印版の出し入れ作業が可能となる。（図３参照）
【発明の効果】
【０００６】  本発明により、
１．印版出し入れ作業の安全性が向上する。
２．作業労力の負担軽減となる。
３．印版出し入れ作業の効率化が図れる。
４．印版の破損防止に繋がる。
５．印版保管スペースを節約出来る。
【発明を実施するための最良の形態】
【０００７】  図２は、印版ラック差し込み孔に受け口を設けた事を特徴とする斜視図である。
図で示すように受け口を設けた事により、印版の出し入れ作業に於いて差し込み孔から収納筒への誘導がスムースになる。
又、受け口に一旦整版フイルムの先端部を置いて手の握りや角度が整えられ、安定した体勢での作業が可能となる。【０００８】  図３（１）（２）は、印版ラックの差し込み孔部が高い所の場合、脚立に登って危険な作業が必要であったが、差し込み孔部の位置を誘導筒で低い場所まで延長して設置する事により、安全で効率的な作業が可能となる。【０００９】  これら印版ラックの素材は、従来と同じアルミニウム、鉄、プラスチック等を用いる。
【産業上の利用可能性】
【００１０】  本発明に係る印版ラックは、成型や組み立て等従来と同じ方法で工業的に量産する事が可能である。
通常、印版保存の理想状態は冷暗所である事から当該印版ラックは人の目が届き難い設置場所となる、更に数十年という極めて長期に亘り使用される事から、あえて電気を使用しない改善の工夫は漏電等電気事故の回避、環境性及び経済性に於いて考慮される重要なポイントとなり、これら諸条件を具備する事から、本発明製品の印刷工場での利用可能性は極めて高い。
【図面の簡単な説明】
【００１１】
【図１】（１）従来の印版ラックの斜視図である。（２）従来の印版ラックの差し込み孔部の斜視図である。（３）従来の印版ラックの差し込み孔部の挿入側から見た断面図である。
【図２】（１）差し込み孔部に受け口を施し整版フイルム先端部をその受け口に置いた斜視図である。（２）上記図２（１）の差し込み孔部の挿入側から見た断面図である。
【図３】（１）差し込み孔部を誘導筒で下方に延長した斜視図である。（２）収納筒と誘導筒の部分を拡大した図である。（３）整版フイルム１色分の全体斜視図である。
【符号の説明】
【００１２】  Ａ．印版ラック
Ｂ．差し込み孔
Ｃ．受け口
Ｄ．整版フイルム
Ｅ．止め棒
Ｆ．印版
Ｇ．脚立
Ｈ．印版区分番号の表示
Ｉ．印版区分番号の上段と下段の表示
Ｊ．切り込み溝
Ｋ．誘導筒
Ｌ．収納筒
【図１】
2015030270.tif 000003
【図２】
2015030270.tif 000004
【図３】
2015030270.tif 000005
(57)【要約】      （修正有）【課題】引き裂かれた建設現場のシートなどの縫合的役割をし、又、網戸の網目を細かくする為に取り換えをせずに簡単に網戸の網目を細かくすることができるボンドスプレー缶を提供する。【解決手段】引き裂かれた物の物質と、同じ物質か、よく似た微粒子又は、固体を、ボンドスプレーと一緒の、ガス缶スプレーから、噴射させ瞬時に接着させ、又、同じく網戸のメッシュ部分と同じ物質か、よく似た微粒子又は、固体を、ボンドスプレーと一緒の、ガス缶スプレーから噴射させる事により網目を細かく調整できる。ガス入り缶スプレーとボンド液を取り寄せ、目的に合う微粒子又は個体とボンド液を、ガス入り缶スプレーに充填し自分で、ガス入り補修缶スプレーを製作する。【選択図】なし【特許請求の範囲】
【請求項１】
ボンド液と、接着させる同じ微粒子を同時に噴射させるスプレー缶
【請求項２】
建設現場などで、よく使用されるシートの破れ、引き裂かれを缶スプレーでスプレーするだけで、縫合的役割をはたす。
【請求項３】
網戸のメッシュ部分に、缶スプレーでスプレーするだけで、網戸目を細かくして虫などの侵入を防ぐ。
【発明の詳細な説明】
【技術分野】
【０００１】  本発明は、ボンドスプレーに関するものであり、ボンドスプレーと、同じ物質の微粒子を噴射させる事により接着性、接着強度が増すようにしたものである。
【発明の開示】
【発明が解決しようとする課題】
【０００２】  しかし、従来のボンドスプレーでは、紙、布などを合わせて接着できるが、引き裂かれた物の接着は難しい。本発明は、このような、引き裂かれた物の接着をできない不都合を解決することを課題とする。
【課題を解決するための手段】
【０００３】  この課題を解決するための請求項１、請求項２、請求項３の発明は、ボンドスプレーと同時に、同じ物質の微粒子を噴射させることで、引き裂かれた箇所を接着でき、なおかつ網目などを細かくできる。
【発明の効果】
【０００４】  本発明により、請求項２の建設現場のシートの破れ、引き裂かれを、瞬時に復旧でき、張り変えなどの手間がいらず、また今後も、復旧したシートが、そのまま使用でき撤去の時も仕分けせずに持ち帰ることができる。【０００５】  本発明により、請求項３は今現在、主に使用されている網戸のメッシュ部分の網目では、虫などの侵入を防ぐことができない。
現在網目が細かい網戸も販売されているが、金額が高額になり、張替の手間と暇を考えると、缶スプレーで網目を細かくでき虫などの、侵入を防ぐ。
【発明を実施するための最良の形態】
【０００６】  自社で、ガス入り缶スプレーとボンド液を取り寄せ、目的に合う微粒子又は個体とボンド液を、ガス入り缶スプレーに充填し自社制作する。
(57)【要約】【課題】塗料層が傷つけられることがなく、また塗料中に塵埃が入り込んだとしても塗料層の見栄えが低下することのない車両用加飾部品を提供する。【解決手段】基材１を透明ないしは半透明の樹脂で構成する。基材１の背面１ｂには、凹部１ｃを形成する。凹部１ｃの内面、つまり底面１ｄ及び周側面１ｅに塗料層１を設ける。【選択図】図２
2015030366.tif 000002
【特許請求の範囲】
【請求項１】
硬質の樹脂からなる基材と、この基材に設けられた塗料層とを備え、上記基材が、その表面を車内側に向けるとともに、その背面を車外側に向けた状態で車両に設けられる車両用加飾部品において、
上記基材が透明ないしは半透明な材質によって形成され、上記塗料層が上記基材の背面に設けられていることを特徴とする車両用加飾部品。
【請求項２】
上記基材の背面に、当該背面より一回り小さい凹部が形成され、この凹部の底面に上記塗料層が設けられていることを特徴とする請求項１に記載の車両用加飾部品。
【発明の詳細な説明】
【技術分野】
【０００１】
この発明は、例えばインストルメントパネルやドアパネル等の車両用内装品に設けられる車両用加飾部品に関する。
【背景技術】
【０００２】
一般に、車両用加飾部品は、比較的硬質の樹脂からなる基材と、この基材の表面に設けられた塗料層とを有している。そして、加飾部品は、その塗料層を車内に臨ませた状態でインストルメントパネルに取り付けられる。これにより、インストルメントパネルの意匠の向上が図られている。
【先行技術文献】
【特許文献】
【０００３】
【特許文献１】特開２００３−５５５９７号公報
【発明の概要】
【発明が解決しようとする課題】
【０００４】
上記従来の車両用加飾部品においては、塗料層が車内に面しているため、塗料層が傷付きやすいという問題があった。また、基材への塗料の塗布時に塵埃が塗料に混入すると、塵埃に起因する凸部が塗料層に生じ、その結果塗料層の見栄えが低下するという問題があった。
【課題を解決するための手段】
【０００５】
この発明は、上記の問題を解決するためになされたもので、硬質の樹脂からなる基材と、この基材に設けられた塗料層とを備え、上記基材が、その表面を車内側に向けるとともに、その背面を車外側に向けた状態で車両に設けられる車両用加飾部品において、上記基材が透明ないしは半透明な材質によって形成され、上記塗料層が上記基材の背面に設けられていることを特徴としている。
この場合、上記基材の背面に、当該背面より一回り小さい凹部が形成され、この凹部の底面に上記塗料層が設けられていることが望ましい。
【発明の効果】
【０００６】
上記特徴構成を有するこの発明によれば、塗料層が基材の背面に設けられており、車内側からは塗料層が基材によって覆われた状態になっている。したがって、塗料層が傷つけられることがない。また、塵埃に起因する凸部が塗料層に形成されたとしても、その凸部は背面側に突出する。しかも、凸部は基材を介して目視される。したがって、凸部が目立つことはほとんどない。よって、塗料層の見栄えが低下することを防止することができる。また、塗料層が基材を介して目視されるので、深みのある色調感が得られる。
【図面の簡単な説明】
【０００７】
【図１】図１は、この発明に係る車両用加飾部品の一実施の形態を示す平面図である。
【図２】図２は、図１のＸ−Ｘ線に沿う断面図である。
【発明を実施するための形態】
【０００８】
以下、この発明を実施するための最良の形態を、図面を参照して説明する。
図１及び図２は、この発明の一実施の形態を示す。この実施の形態の車両用加飾部品Ａは、基材１及び塗料層２を有している。
【０００９】
基材１は、比較的硬質で透明な樹脂によって構成されている。基材１を構成する樹脂としては、例えばポリカーボネート樹脂、ＡＢＳ樹脂あるいはアクリル樹脂が採用される。基材１は、スモークと称されるような半透明の樹脂によって構成してもよい。
【００１０】
基材１は、その表面１ａが車内側を向き、かつその背面１ｂが車外側を向いた状態に配置されており、その配置状態で車両のインストルメントパネルやドアトリム等の車両用部品（いずれも図示せず）に取り付けられている。基材1の平面視形状、つまり基材１をその表面1ａと直交する方向から見たときの形状は、長方形状に形成されている。基材１の平面視形状は、長方形に限定されるものでなく、正方形や円形、その他任意の形状に形成することができる。
【００１１】
基材１の背面１ｂには、凹部１ｃが形成されている。凹部１ｃは、図１に示すように、平面視形状が基材１の平面視形状とほぼ相似な形状に形成されており、その中央部を基材１の中央部と一致させて配置されている。したがって、凹部１ｃの周縁は、基材１の外周縁に沿って延びており、凹部１ｃの周縁と気概１の外周縁との間隔は、全周にわたって一定になっている。凹部１ｃの形状は、基材１と異なる形状にしてもよい。また、凹部１ｃは、必ずしも形成する必要がなく、背面１ｂは単なる平面あるいは平面に近い曲面等によって形成してもよい。また、後述する塗料層の色彩が黒色である場合には、リブやクリップ座（いずれも図示せず）が背面１ｂに形成されていてもよい。
【００１２】
塗料層２は、一液アクリルラッカや一液アクリルウレタン等の塗料からなるものであり、凹部１ｃの内面全体にわたって設けられている。塗料層２は、凹部１ｃの底面１ｄにだけ設け、周側面１ｅには設けなくてもよい。また、塗料層２は、その全体を一色の塗料で構成することなく、各部を異なる色の塗料で構成してもよい。塗料の色は、赤や黄色の有彩色であってもよく、黒色や白色の無彩色であってもよい。また、基材１の背面１ｂに凹部１ｃが設けられない場合には、背面１ｂ全体にわたって塗料層２を形成してもよく、背面１ｂの一部ののみ設けてもよい。
【００１３】
塗料層２は、液状の塗料を所望の部位に所望の厚さで付着させた後、固化させることによって形成することができる。塗料の付着は、塗料を基材１に塗布あるいは吹き付けることにより、又は塗料層２の形成箇所以外の箇所をマスキングした基材１を塗料中に浸漬することによって行うことができる。
【００１４】
上記構成の車両用加飾部品Ａによれば、塗料層２が基材１の背面１ｂに設けられており、車内側からは塗料層２が基材１によって覆われた状態になっている。したがって、塗料層２が傷つけられることがない。特に、この実施の形態の加飾部品Ａにおいては、塗料層２が凹部１ｃに設けられているので、加飾部品Ａの製造過程での搬送中に塗料層２が傷付けられることを防止することができる。また、塵埃に起因する凸部（図示せず）が塗料層２に形成されたとしても、その凸部は背面側に突出する。しかも、凸部は、基材１を介して目視される。したがって、凸部が目立つことはほとんどない。よって、塗料層２の見栄えが低下することを防止することができる。また、車内側からは塗料層２が基材１を介して目視されるので、深みのある色調感が得られる。
【符号の説明】
【００１５】
Ａ    車両用加飾部品
１    基材
１ａ    表面
１ｂ    背面
１ｃ    凹部
１ｄ    底面
２    塗料層
【図１】
2015030366.tif 000003
【図２】
2015030366.tif 000004
(57)【要約】【課題】カッターシャツの両襟を立てない、ボタン付きカッターシャツは両襟は立たないが、ボタンが丸見えで、決して美しいとは言えない。襟を立てない、ボタンを見せない、着脱が容易である。この３つの課題を解決する。【解決手段】  襟の先端三角部分の裏と前身ごろにスナップを取付ける。取付け方は糸でスナップの四方を縫い固定する。スナップは、着脱が容易である。ボタンと違い襟にスナップが出ないため、見た目にも奇麗な襟が保たれ、持続出きる。スナップには２種類の形状があり、１つは金属、もう１つはプラスチックで白色があり、ボタンより薄く、強固で、美しいものである。スナップを付けることにより、襟が立たない、ボタンが見えない着脱が容易である。  この３つが解決する。【選択図】図２
2015030961.tif 000002
【特許請求の範囲】
【請求項１】
カッターシャツの両襟先端部分の三角部分の裏と前身ごろに、市販のプラスチックで白色（他の色でもよい）のスナップ（金属のスナップでもよい）を、四隅糸で留め、襟が立つのを、スナップを取付けることにより防止できる、襟の裏にスナップが付いたカッターシャツである。
【発明の詳細な説明】
【技術分野】
【０００１】  この発明は、カッターシャツの両襟三角部分の裏と両前身ごろにスナップを付けることにより、襟が立たないようにした。カッターシャツの襟に関するものである。
【背景技術】
【０００２】  従来のカッターシャツは、両襟が立たないように両襟三角部分の先に穴を開け、ボタンをするものと、両襟先端三角部分の裏側にマジックテープが付いたもの（公開番号−特開平８−３２５８０１）がある。
【先行技術文献】
【特許文献】
【０００３】
【特許文献】特開平８−３２５８０１号公報
【発明の概要】
【発明が解決しようとする課題】
【０００４】  これは、次のような欠点があった。カッターシャツの両襟にボタンが付いてないカッターシャツの場合は、両襟の先端三角部分が立上り、その立ち上った襟は見苦しく、また、ボタンが付いたカッターシャツの場合は、ネクタイを締める際、一々襟からボタンを外し、ネクタイを締めた後は、また、ボタンを留めなければならない。ボタン付きカッターシを利用している者は、ボタンの着脱に時間がかかり過ぎ、また，ボタンは片手では中々着脱が難しく、ボタン付きカッターシャツを着る人は、皆ボタンの着脱にイライラしていた。
マジックテープを付けた場合は、カッターシャツを毎日洗濯をした場合、マジックテープの接着の効きが悪くなったり、マジックテープは熱に弱いという欠点があります。
本発明は、以上のような欠点を無くすために成されたものである。
【課題を解決するための手段】
【０００５】  本発明は、上記の課題を解決するためにカッターシャツの襟の三角部分が立ちあがらないようにする。襟元がゆがみ、だらしない性格に見られないようにする。襟の先端三角部分の裏（１）と前身ごろ（２）にスナップを取付ける。取付け方は糸でスナップの四方を縫い固定する。また、着脱が容易である。ボタンと違い襟にスナップが出ないため、見た目にも奇麗な襟が保たれ、持続出きる。スナップには２種類の形状があり、１つは金属、もう１つはプラスチックで白色があり、ボタンより薄く、強固で、美しいものである。
本発明はこのスナップを使用した構造を取り入れ考案したものである。
【発明の効果】
【０００６】  以上説明したように、本発明にかかるカッターシャツ１は、襟の先端三角部分の裏２と前身ごろ３をスナップで留めることで、襟が立たなくなり、今までの、みっともなく、だらしない、見苦しい姿になることはならない。スナップの着脱が短時間で可能であり、ボタン使用のカッターシャツに比べて、スナップを留めると操作が簡単で、襟にボタンが見えるカッターシャツに比べ、ボタンが見えないだけ綺麗である。
【図面の簡単な説明】
【０００７】
【図１】ネクタイを着用した状態を表したものである。。
【図２】ネクタイをせず、外襟の片方をめくり、スナップの取付位置を表したもの。
【図３】外襟と前身ごろにスナップを固定した状態を表したもの。
【課題を実施するための形態】
【０００８】  以下、本発明を実施するための形態について説明する。
カッターシャツ１に襟先端三角部分の裏２に前身ごろ３にスナップを付ける。本発明は、以上のような構造である。
本発明を使用する時は、スナップを付けることにより、スナップの着脱が短時間で可能、簡単である。ボタンが見えるカッターシャツより、ボタンが見えないだけ襟が奇麗である。本発明は、以上のような構造である。
【符号の説明】１  カッターシャツ
２  外襟
３  台襟
４  前身ごろ
５  スナップ
６  ネクタイ
【図１】
2015030961.tif 000003
【図２】
2015030961.tif 000004
【図３】
2015030961.tif 000005
(57)【要約】【課題】顔を防寒する目的でネックウォーマーやマフラーを顔に巻いて使用すると裏側が吐息で濡れ気持が悪い、乾いても時間がたつと匂いが発生し衛生上再度使用するのには適さない。【解決の手段】この欠点を解決するために、ネックウォーマーの側面に切り込みを設ける。切り込み部の位置は口の位置に合う場所に設ける。使用状態に於いて、顔の下半分は完全に覆われ、呼吸する息は切り込みを通して外部に放出される。何時も清潔で長時間使用しても問題ない。目だし帽のように不審者と間違われることもない。帽子と併用すれば目だし帽と同様の防寒効果もある。【選択図】図１
2015030960.tif 000002
【特許請求の範囲】
【請求項１】
ネックウォーマーの側面に切り込みを設けたことを特徴とするフェイス防寒具。
【請求項２】
マフラーにおいて切り込みを設けたことを特徴とする請求項１に関わるフェイス防寒具。
【請求項３】
マスクにおいて切り込みを設けたことを特徴とする請求項１に関わるフェイス防寒具。
【請求項４】
切り込み部にファスナーを取り付けた請求項１及び請求項２及び請求項３に関わるフェイス防寒具。
【発明の詳細な説明】
【技術分野】
【０００１】本発明のフェイス防寒具はスキー、スケート等冬のスポーツ観戦、通勤、通学、屋外作業等寒い時に首や顔に取り付け顔を寒さから守ることを目的として使用するものである。
【背景技術】
【０００２】従来技術における顔を寒さから防ぐ物は、目だし帽やマスク等が考えられる。
【発明の概要】
【発明が解決しようとする課題】
【０００３】目だし帽は顔を寒さから守るのに効果的であるが、肩から上全体を覆うため不審者と間違われ易く、一般的には使用されていない。【０００４】マスクは顔を寒さから守るのに手軽に使用できるが、使用中にマスクの裏側が吐息で濡れ気持が悪い、乾いても時間がたつと匂いが発生し衛生上再度使用するのには適さない。【０００５】マフラーを顔に巻き付ければ顔を寒さから守れるがマスク同様マフラーの内側が濡れ臭気を発生するのは同じである。【０００６】ネックウォーマーが市販されているがこれは首回りを防寒するもので顔まで覆うようには作られておらず、仮に顔に取り付けてもマスクと同様な欠点がある。【０００７】以上のような欠点を解決するために本発明がなされた。
【課題を解決するための手段】
【０００８】ネックウォーマーの側面に切り込みを設ける。首から目の下までを覆い切り込み部を口に合わせて使用する。
【効果】
【０００９】フェイス防寒具の切り込みと口の位置を合わせて使用することで吐く息がフェイス防寒具の内側に籠らない。従って口や鼻の周りが何時も乾燥し清潔である。長時間顔を覆い寒さを防ぐことができる。
顎の下まで下げれば従来のネックウォーマーと同様でいちいち外す必要もなく相手の人に対しても失礼にならない。目だし帽のように不審者と間違われることもない。帽子と併用すれば目だし帽と同様の防寒効果もある。
【図面の簡単な説明】
【００１０】
【図１】実施例１を示す斜視図である。
【図２】実施例２を示す図である。
【図３】実施例３を示す図である。
【発明を実施するための形態】
【００１１】ネックウォーマーの側面に切り込みを設け。切り込み部の位置は使用状態に於いて口の位置に合う場所に設ける。切り込みに近い側の端にゴムを取り付ける。使用時はゴムの付いている側を上にし、切り込みを口に合わせて使用する。顔の下半分は完全に覆われ、呼吸する息は切り込み部を通して外部に放出される。何時も乾燥していて、清潔で長時間使用しても問題ない。寒さが厳しい時はネックウォーマーを目の下まで引き上げ、必要のない時は顎の下まで下げて使用する。いちいち外す必要が無く便利に使用できる。ゴムを取り付けることでネックウォーマーはずれ落ちない。
【実施例１】
【００１２】図１は実施例１を示す斜視図である。
円筒形をしたフェイス防寒具（１）の側面に切り込み（２）を設ける。切り込み部の位置は使用状態に於いて口の位置に合う場所に設ける。切り込み（２）に近い側の端にゴム（３）を取り付ける。使用時はゴム（３）の付いている側を上にし、切り込み（２）を口に合わせて使用する。顔の下半分は完全に覆われ、呼吸する息は切り込み部を通して外部に放出される。何時も清潔で長時間使用しても問題ない。寒さが厳しい時はフェイス防寒具（１）を目の下まで引き上げ、必要のない時は顎の下まで下げて使用する。ゴム（３）を取り付けることでフェイス防寒具（１）はずれ落ちない。
【実施例２】
【００１３】図２は実施例２を示す図である。
マフラー（５）に切り込み（２）を設け、この切り込みを口の位置に合わせて顔に巻き付ければ従来の欠点を解決し、本発明の効果が生まれる。
【実施例３】
【００１４】図３は実施例３を示す図である。
マスク（４）に切り込み（２）を設け、この切り込みを口の位置に合わせて使用すれば従来の欠点を解決し、本発明の効果が生まれる。
【実施例４】
【００１５】請求項１、請求項２、請求項３のフェイス防寒具に於いて、それぞれの切り込み（２）にファスナーを取り付けると切り込み部の大きさを調節出来るので口の大きさや位置に合わせられ便利である。また気温の変化に対応して開口面積を調節できる効果もある。
【符号の説明】１  フェイス防寒具。
２  切り込み。
３  ゴム。
４  マスク。
５  マフラー。
【図１】
2015030960.tif 000003
【図２】
2015030960.tif 000004
【図３】
2015030960.tif 000005
(57)【要約】【課題】植物からの芳香を簡易な方法で持続的に増強させること。【解決手段】植物から芳香するアルデヒト類やアルコール類に相当する前駆体モノアミン類を有効成分として含有する生け水に切り花を生けることによって、前駆体モノアミンが導管から植物体内に吸収され植物が生成する酵素によってそれが香気成分のアルデヒト類やアルコール類に変換され、花および葉から持続的に発散するようにした芳香増強剤。【特許請求の範囲】
【請求項１】
植物から揮発される芳香成分の前駆体となるモノアミン類を１種類以上含有することを特徴とする植物の芳香増強剤。
【請求項２】
請求項１記載の植物の芳香増強剤を植物に与える際、それに含有しているモノアミン類の濃度が０．１〜１０ｍＭになるようにした植物の芳香増強剤。
【請求項３】
請求項１、請求項２記載のモノアミン類は、ベンジルアミンとｎ−ヘキシルアミン、２−フェネチルアミンのいずれかを１種類以上含有することを特徴とする植物の芳香増強剤。
【発明の詳細な説明】
【発明の詳細な説明】
【技術分野】
【０００１】  本発明は、植物の芳香を増強させる芳香増強剤に関するものである。
【背景技術】
【０００２】  近年、切り花用の植物は、品種改良が盛んに行われ、多種多様な品種が販売されている。しかしながら、原種では芳香があったものが品種改良によって芳香が弱くなったり、あるいは芳香がしなくなったりした品種が増えてきた。また、温室で栽培された植物は、路地で栽培された植物より芳香が弱いと言われており、それらの品種改良後の植物や温室栽培の植物の芳香を強めることは販売側、消費者側から求められている。そのため、芳香増強剤として、導管を通して香料物質を植物に吸収させ、それが花もしくは葉から香料物質の芳香が発散されるという技術が開発された。（特許文献１）
【先行技術文献】
【０００３】
【特許文献１】  特開平６−３３６４０１号公報
【発明の概要】
【発明が解決しようとする課題】
【０００４】  しかし、香料物質は水に難溶のため、生け水と混合する前に配糖体や乳化剤添加処理を施す必要があり、またこれらの香料物質は揮発性により植物に吸収される前に減少していくため植物体の芳香増強を持続させるのは困難であった。本発明は、特別な処理をあらかじめ施す必要がなく、また揮発しない化合物を用いることによって植物の芳香を持続させる芳香増強剤にすることを目的とする。
【課題を解決するための手段】
【０００５】  本発明は、花および葉から揮発する香気成分のアルデヒト類やアルコール類に相当する前駆体モノアミンを植物に与える水に添加することによって植物が導管を通して前駆体モノアミンを吸収し、植物体内で植物の生成する酵素がモノアミンをアルデヒド類やアルコール類に変換させる。植物体内で合成されたアルデヒド類やアルコール類が花および葉から揮発することによって植物の芳香が強まり、その芳香を持続させる。【０００６】  従って本発明は、前駆体モノアミンを有効成分とし、植物の芳香を強めそれを持続させることができる植物の芳香増強剤を提供することにある。前駆体モノアミンとしては、実際に植物体から芳香するアルデヒト類やアルコール類に相当するモノアミン類の利用が考えられ、例えば、２−フェネチルアミン、ベンジルアミン、ｎ−ヘキシルアミン、ペンチルアミン、ノニルアミン、ウンデシルアミン、オクタデシルアミン、２，４−ジメトキシベンジルアミンなどが挙げられる。植物種の芳香は様々な揮発性物質の混合物であることから、前駆体モノアミンは一種類だけに限らず二種類以上を含有する芳香増強剤とすることでより植物の芳香増強に効果がある手段と考えられる。【０００７】  また、使用者への本発明の芳香増強剤の提供方法として、植物から放出される芳香成分の前駆体を高濃度で含有させて、使用者が使用する際に、本発明の芳香増強剤が５０〜１００倍希釈となるように植物に与える水に添加して使用する形式にすれば、例えば１〜１０００ｍＬといった使用者が使用や管理がしやすい適度な量として芳香増強剤を提供することができる。なお、その際の芳香増強剤は、希釈した際の前駆体モノアミンの濃度が０．１〜１０ｍＭとなるように調整したものとする。【０００８】  本発明の使用対象は、切り花だけに限らず、榊やしきみなどの葉もの植物、また、花や観葉植物といった鉢物や盆栽などの土壌へ与えることも可能である。次に実施例を挙げて本発明の効果を示す。
【実施例１】
【０００９】  ベンジルアミンとｎ−ヘキシルアミン、両前駆体モノアミンの濃度が１ｍＭとなるように添加した水溶液４００ｍＬにカーネーション（品種：スターチェリー）１本を浸けた。コントロールとして、水道水のみに浸けたカーネーション（品種：スターチェリー）を用意した。浸け始めてから２４時間後、１２人のパネラーに前駆体入りの水溶液に浸けたものとコントロールとで、香気が強いと感じるほうを選択してもらった。【００１０】  その結果、１２人中１０人が、ベンジルアミンとｎ−ヘキシルアミンを含有する水溶液に浸けたカーネーションのほうが水道水のみに浸けたものより香りが強いとした。
【実施例２】
【００１１】  ベンジルアミンとｎ−ヘキシルアミン、２−フェネチルアミンの各前駆体モノアミンの濃度が１ｍＭとなるように添加した水溶液４００ｍＬにカラーを１本浸けた。コントロールとして、水道水のみに浸けたカラーも用意した。浸け始めてから２４時間後、１２人のパネラーに前駆体入りの水溶液に浸けたものとコントロールとで、香気が強いと感じるほうを選択してもらった。【００１２】  その結果、１２人中１１人が、ベンジルアミンとｎ−ヘキシルアミンと２−フェネチルアミンを含有する水溶液に浸けたカラーのほうが水道水のみに浸けたものより香りが強いとした。
【実施例３】
【００１３】  前駆体モノアミンのベンジルアミンを濃度１ｍＭとなるように添加した水溶液に、８割以上開花しているカーネーション（品種：スターチェリー）を浸けて、切り花が放出するベンズアルデヒドの濃度を測定する。導管から通ってカーネーション体内に入ってきたベンジルアミンがカーネーションの生成するアミン酸化酵素によってベンズアルデヒドに変換される。切り花から放出されるそのベンズアルデヒドの量をヘッドスペース法で測定することで、芳香の度合いを数値で具現化する。比較として、蒸留水のみに浸けたカーネーション（品種：スターチェリー）についても同様に測定した。【００１４】  その結果、表１に示すように、カーネーションから放出されたベンズアルデヒド量は、ベンズアルデヒドの前駆体のベンジルアミンの水溶液に浸けたほうが蒸留水のみに浸けたときより多くなった。
【表１】
2015030729.tif 000002
【発明の効果】
【００１５】  本発明において、植物の花や葉から揮発する芳香成分の前駆体となるモノアミン類を、例えば植物を生ける水に添加することによって、それに生けた植物の花や葉からの芳香を増強させ、植物が放出する天然の香りを楽しむことできる。